(57)【要約】【課題】  良好な記録マークを形成し、再生信号品質を悪化させない光変調記録条件設定方法を提供する。【解決手段】  光変調によって情報の記録が可能な光ディスクに対して、マルチパルスのレーザ照射によって試し書きされた情報を再生して得られた再生信号に応じて、該光ディスクへの情報の記録条件を設定する際、記録パルス条件を設定した（ステップＳ１）後、記録パワーＰｗと消去パワーＰｅを変化させて設定する（ステップＳ２）。そして、記録パワーＰｗが標準記録条件における標準記録パワーＰｗ０以上であるか否かを判定し（ステップＳ３）、記録パワーＰｗの方が大きい場合よりも大きい場合、記録パルス条件を変化させて設定する（ステップＳ４）。【選択図】  図１
2005108374.tif 000002
【特許請求の範囲】
【請求項１】
光変調によって情報の記録が可能な光ディスクに対して、発光波形が１つ以上のパルス列からなるレーザの照射によって試し書きされた情報を再生して得られた再生信号に応じて、該光ディスクへの情報の記録条件を設定する光変調記録条件設定装置において、
上記光ディスクに対する試し書きの記録条件を設定する記録条件設定手段と、
上記記録条件設定手段によって設定された試し書きの記録条件に基づいて、試し書きを行う試し書き手段とを備え、
上記記録条件設定手段は、
記録レーザパワー又は／及び消去レーザパワーの大きさに依存した記録パルス条件を用いて試し書きの記録条件を設定することを特徴とする光変調記録条件設定装置。
【請求項２】
上記記録条件設定手段は、
標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、
記録レーザパワーと上記標準記録レーザパワーの値、又は／及び、消去レーザパワーと上記標準消去レーザパワーの値を比較し、この比較結果に基づいて、上記記録パルス条件を設定することを特徴とする請求項１に記載の光変調記録条件設定装置。
【請求項３】
上記記録条件設定手段は、
記録レーザパワーの大きさが上記標準記録レーザパワーよりも大きい場合に、該記録レーザパワーに応じて変化させた記録パルス条件を用いて試し書きの記録条件を設定することを特徴とする請求項２に記載の光変調記録条件設定装置。
【請求項４】
上記記録条件設定手段は、
上記記録レーザのパルスとして、記録パルス、消去パルス、バイアスパルスを含んでいるとき、
記録レーザパワーの大きさが上記標準記録レーザパワーよりも大きい場合に、該記録レーザパワーに応じて、記録パルス幅および／又は消去パルス幅を狭めるか、あるいはバイアスパルス幅を広くした記録パルス条件を用いて試し書きの記録条件を設定することを特徴とする請求項２に記載の光変調記録条件設定装置。
【請求項５】
上記記録条件設定手段は、
記録レーザパワーの大きさが上記標準記録レーザパワーよりも小さい場合に、該記録レーザパワーに応じて変化させない記録パルス条件を用いて試し書きの記録条件として設定することを特徴とする請求項２に記載の光変調記録条件設定装置。
【請求項６】
上記記録条件設定手段は、
少なくとも１度行われた試し書きで得られた記録条件を標準記録条件としたときの記録レーザパワー及び消去レーザパワーを標準記録レーザパワー及び標準消去レーザパワーとしたとき、
記録レーザパワーと上記標準記録レーザパワーの値、又は／及び、消去レーザパワーと上記標準消去レーザパワーの値を比較し、この比較結果に基づいて、上記記録パルス条件を設定することを特徴とする請求項１に記載の光変調記録条件設定装置。
【請求項７】
上記標準記録条件は、光ディスク上に予め記録されている記録条件に基づいて設定されていることを特徴とする請求項２記載の光変調記録条件設定装置。
【請求項８】
上記記録条件設定手段は、
記録パルスの終端部のパルス幅を変化させて記録パルス条件を設定することを特徴とする請求項１に記載の光変調記録条件設定装置。
【請求項９】
上記記録条件設定手段は、
記録パルスの始端部及び／または中間部のパルス幅を変化させて記録パルス条件を設定することを特徴とする請求項１に記載の光変調記録条件設定装置。
【請求項１０】
光変調によって情報の記録が可能な光ディスクに対して、発光波形が１つ以上のパルス列からなるレーザの照射によって試し書きされた情報を再生して得られた再生信号に応じて、該光ディスクへの情報の記録条件を設定する光変調記録条件設定装置において、
上記光ディスクに対する試し書きの記録条件を設定する記録条件設定手段と、
上記記録条件設定手段によって設定された試し書きの記録条件に基づいて、試し書きを行う試し書き手段と、
上記試し書き手段によって試し書きされた情報を再生し、再生信号を検出する再生信号検出手段とを備え、
上記記録条件設定手段は、
上記再生信号検出手段によって検出された再生信号の信号品質が規定する所定条件を満たさない場合に、記録レーザパワー又は／及び消去レーザパワーの大きさに依存した記録パルス条件を用いて試し書きの記録条件を設定することを特徴とする光変調記録条件設定装置。
【請求項１１】
上記記録条件設定手段は、
標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、
上記再生信号検出手段によって検出された再生信号の信号品質が規定する所定条件を満たさない場合に、記録レーザパワーと上記標準記録レーザパワーの値、又は／及び、消去レーザパワーと上記標準消去レーザパワーの値を比較し、この比較結果に基づいて記録パルス条件を設定することを特徴とする請求項１０に記載の光変調記録条件設定装置。
【請求項１２】
上記の所定条件を満たさない場合は、上記再生信号検出手段によって検出された再生信号の信号品質が所定値よりも悪い場合であることを特徴とする請求項１１に記載の光変調記録条件設定装置。
【請求項１３】
上記の所定条件を満たさない場合は、上記再生信号検出手段によって検出された再生信号の信号振幅に基づいた値が所定値よりも小さい場合であることを特徴とする請求項１１に記載の光変調記録条件設定装置。
【請求項１４】
光変調によって情報の記録が可能な光ディスクに対して、発光波形が１つ以上のパルス列からなるレーザの照射によって試し書きされた情報を再生して得られた再生信号に応じて、該光ディスクへの情報の記録条件を設定する光変調記録条件設定装置において、
上記光ディスクに対する試し書きの記録条件を設定する記録条件設定手段と、
上記記録条件設定手段によって設定された試し書きの記録条件に基づいて、試し書きを行う試し書き手段とを備え、
上記記録条件設定手段は、
上記試し書き手段によって、少なくとも一度行なわれた試し書きで得られた記録条件に対して、所定演算を加え、この演算で得られた記録レーザパワー又は／及び消去レーザパワーの大きさに依存した記録パルス条件を用いて最適記録条件を設定することを特徴とする光変調記録条件設定装置。
【請求項１５】
光変調によって情報の記録が可能な光ディスクに対して、発光波形が１つ以上のパルス列からなるレーザの照射によって試し書きされた情報を再生して得られた再生信号に応じて、該光ディスクへの情報の記録条件を設定する光変調記録条件設定装置において、
上記光ディスクに対する試し書きの記録条件を設定する記録条件設定手段と、
上記記録条件設定手段によって設定された試し書きの記録条件に基づいて、試し書きを行う試し書き手段とを備え、
上記記録条件設定手段は、
光ディスクに予め記録された記録条件に対して、所定演算を加え、この演算で得られた記録レーザパワー又は／及び消去レーザパワーの大きさに依存した記録パルス条件を用いて最適記録条件を設定することを特徴とする光変調記録条件設定装置。
【請求項１６】
上記記録条件設定手段は、
標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、
演算で得られた記録レーザパワーと上記標準記録レーザパワーの値、又は／及び、演算で得られた消去レーザパワーと上記標準消去レーザパワーの値を比較し、この比較結果に基づいて上記記録パルス条件を設定することを特徴とする請求項１４または１５に記載の光変調記録条件設定装置。
【請求項１７】
光変調によって情報の記録が可能な光ディスクに対して、発光波形が１つ以上のパルス列のレーザの照射によって試し書きされた情報を再生して得られた再生信号に応じて、該光ディスクへの情報の記録条件を設定する光変調記録条件設定方法において、
記録レーザパワー又は／及び消去レーザパワーの大きさに依存した記録パルス条件を用いて試し書きの記録条件を設定することを特徴とする光変調記録条件設定方法。
【請求項１８】
標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、
記録レーザパワーと標準記録レーザパワー、又は／及び、消去レーザパワーと標準消去レーザパワーの値を比較し、比較結果に基づいて記録パルス条件を調整し、調整後の記録パルス条件を用いて試し書きの記録条件を設定することを特徴とする請求項１７に記載の光変調記録条件設定方法。
【請求項１９】
記録レーザパワーの大きさが標準記録レーザパワー以上の場合に、記録パルス条件を変化させて、変化後の記録パルス条件を用いて試し書きの記録条件を設定することを特徴とする請求項１８に記載の光変調記録条件設定方法。
【請求項２０】
光変調によって情報の記録が可能な光ディスクに対して、発光波形が１つ以上のパルス列のレーザの照射によって試し書きされた情報を再生して得られた再生信号に応じて、該光ディスクへの情報の記録条件を設定する光変調記録条件設定方法において、
任意の試し書き記録条件で試し書きを行い、試し書きされた情報を再生した再生信号が信号品質を規定する所定条件を満たさない場合に、
記録レーザパワー又は／及び消去レーザパワーの大きさに依存した記録パルス条件を用いて試し書きの記録条件を設定することを特徴とする光変調記録条件設定方法。
【請求項２１】
光変調によって情報の記録が可能な光ディスクに対して、発光波形が１つ以上のパルス列のレーザの照射によって、少なくとも一度試し書きされた情報を再生して得られた再生信号に基づいて、所定演算を行って、該光ディスクへの情報の最適記録条件を設定する光変調記録条件設定方法において、
演算で得られた記録レーザパワー又は／及び消去レーザパワーの大きさに依存した記録パルス条件を用いて最適記録条件を設定することを特徴とする光変調記録条件設定方法。
【請求項２２】
光変調によって情報の記録が可能な光ディスクに対して、該光ディスクに予め記録されている記録条件に対して、所定演算を行って、該光ディスクへの情報の最適記録条件を設定する光変調記録条件設定方法において、
演算で得られた記録レーザパワー又は／及び消去レーザパワーの大きさに依存した記録パルス条件を用いて最適記録条件を設定することを特徴とする光変調記録条件設定方法。
【請求項２３】
請求項１ないし１６の何れか１項に記載の光変調記録条件設定装置を備えたことを特徴とする光変調記録再生装置。
【請求項２４】
請求項１ないし１６の何れか１項に記載の光変調記録条件設定装置を動作させる制御プログラムであって、コンピュータを該光変調記録条件設定装置における各手段として機能させることを特徴とする制御プログラム。
【請求項２５】
請求項２４に記載の制御プログラムを記録したことを特徴とするコンピュータ読み取り可能な記録媒体。
【発明の詳細な説明】
【技術分野】
【０００１】
本発明は、光変調記録が可能な光ディスク等の記録媒体に対する光変調記録条件を設定する光変調記録条件設定装置、光変調記録条件設定方法、光変調記録再生装置、制御プログラム、及び該制御プログラムを記録した記録媒体に関するものである。
【背景技術】
【０００２】
近年、光変調記録が可能な光ディスク等の記録媒体を用いてデータの記録を行う機器（光変調記録再生装置）が各種提案されている。このような光変調記録が可能な記録媒体としてＣＤ−ＲやＤＶＤ−Ｒなどの光ディスクなどが開発されており、これらの光ディスクに対応する光変調記録再生装置では、光ディスク上のトラックに対して記録データによって変調されたレーザ光を照射し、例えば相変化させて記録媒体にデータの記録を行うようになっている。なお、以下の説明において、特に断りのない限り、光ディスクとは、光変調記録が可能な記録媒体を示し、記録再生装置とは、光変調記録が可能な記録装置と光変調記録されたデータが再生可能な再生装置とを示す。
【０００３】
ところで、このようにレーザ光によりデータ記録を行う場合には、レーザ光のパワー、具体的には、記録パワーや消去パワーが適切な値に設定されていなければならない。しかしながら、光ディスクの記録再生装置を量産したとき、使用部品の特性ばらつきや環境変化等により、個々の装置が常に同一の特性を有するとは限らない。同様に、光ディスク自体も量産時に、特性ばらつきが発生し、同一の記録条件で記録しても個々の光ディスクで常に同じマーク形状が得られるとは限らない。
【０００４】
したがって、標準的な特性を有する基準ディスクを用い、かつ標準的な特性を有する基準装置（基準記録再生装置）で決定された標準記録条件であったとしても、特性のばらつきのある量産された光ディスクと装置とをそのまま使用すると、組合わせによっては適正な記録再生が行われず、品質不良が発生するという問題が生じる。
【０００５】
このために、通常、記録装置では、試し書きを行い最適記録条件を判別し、判別した最適記録条件で光ディスクへのデータの書込が行なわれるようになっている。
【０００６】
この試し書き動作は、光ディスク上に用意された試し書き領域（テスト領域）に対して記録条件を変化させながらレーザ照射を行って試し書きを行い、その試し書き部分の再生信号品質（例えばジッタレベルやエラーレート等）を監視することで、最適な記録条件を判別する動作である。この試し書き動作により、記録時に最適な記録条件による記録動作が実現できる。
【０００７】
このような試し書きを行う技術として、例えば、特許文献１には、記録パワーとレーザ発光波形規則（記録パルス条件）とを記録条件とし、複数の記録パワーと複数のレーザ発光波形規則による試し書きを行い、その結果に応じて最適記録条件を設定する方法が記載されている。
【０００８】
しかしながら、特許文献１に記載の方法では、試し書きに使用するための記録パワーとレーザ発光波形規則の組合せが多数存在するため、最適な記録条件を設定するために多大な時間がかかるとい問題が生じる。
【０００９】
そこで、特許文献２には、試し書きに使用する記録条件の組合せを減らすために、記録パワーと消去パワーが一定比を保ちながら記録パワーと消去パワーを変化させて記録を行って、最適記録条件を設定する方法が開示されている。
【特許文献１】特開２０００−１８２２４４公報（平成１２年６月３０日公開）
【特許文献２】特開２０００−２５１２５７公報（平成１２年９月１４日公開）
【発明の開示】
【発明が解決しようとする課題】
【００１０】
ところが、特許文献２に記載のように、記録パワーと消去パワーとを一定比を保ちながら変化させて、最適記録条件を設定する場合、以下のような種々の問題が生じる。
【００１１】
（１）上述した標準記録条件よりも高い記録パワーおよび消去パワーの範囲で最適記録条件を設定した場合、記録パワーと消去パワーの両者が標準の記録パワーと消去パワーよりも大きくなるので、記録マークの形成に必要な冷却を充分に行うことができない虞がある。この場合、適正な記録マークが形成できないので、再生信号品質が悪化する。
【００１２】
（２）上述した標準記録条件よりも低い記録パワーおよび消去パワーの範囲で最適記録条件を設定した場合、記録パワーと消去パワーの両者が標準の記録パワーと消去パワーよりも小さいので、設定した記録パワーと消去パワーに対し各種マージンを考慮して、所定量のパワーを上乗せする等の所定演算を行って、最終的な記録条件を設定する。このように、演算によって得られた記録パワーは、実際に試し書きによって使用した記録パワーではないので、記録条件によっては、適切に記録マークを形成できず、再生信号品質を悪化させる虞がある。特に、設定された記録パワーおよび消去パワーが、上述した標準記録条件よりも大きくなる場合には、記録マークが適切に形成されず、記録状態が悪化する。
【００１３】
以上のことから、記録パワーと該記録パワーと対になる消去パワーの両方を変化させて、両者が大きくなったとき、特に、上記の標準記録条件よりも高くなったときに、適切な記録マークが形成できない場合が多くなり、このため、再生信号品質を悪化させるという問題が生じる。
【００１４】
本発明は、上記の問題の問題点に鑑みなされたものであって、その目的は、記録パワーと消去パワーの両方を大きくしても、適切な記録マークを形成し、再生信号品質を悪化させない光変調記録条件設定装置、光変調記録条件設定方法、光変調記録再生装置、制御プログラム、及び制御プログラムを記録した記録媒体を提供することにある。
【課題を解決するための手段】
【００１５】
本発明に係る光変調記録条件設定装置は、上記の課題を解決するために、光変調によって情報の記録が可能な光ディスクに対して、発光波形が１つ以上のパルス列からなるレーザの照射によって試し書きされた情報を再生して得られた再生信号に応じて、該光ディスクへの情報の記録条件を設定する光変調記録条件設定装置において、上記光ディスクに対する試し書きの記録条件を設定する記録条件設定手段と、上記記録条件設定手段によって設定された試し書きの記録条件に基づいて、試し書きを行う試し書き手段とを備え、上記記録条件設定手段は、記録レーザパワー又は／及び消去レーザパワーの大きさに依存した記録パルス条件を用いて試し書きの記録条件を設定することを特徴としている。
【００１６】
上記記録条件設定手段は、標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、記録レーザパワーと上記標準記録レーザパワーの値、又は／及び、消去レーザパワーと上記標準消去レーザパワーの値を比較し、この比較結果に基づいて、上記記録パルス条件を設定することを特徴としている。
【００１７】
上記記録条件設定手段は、記録レーザパワーの大きさが上記標準記録レーザパワーよりも大きい場合に、該記録レーザパワーに応じて変化させた記録パルス条件を用いて試し書きの記録条件を設定することを特徴としている。
【００１８】
上記記録条件設定手段は、上記記録レーザのパルスとして、記録パルス、消去パルス、バイアスパルスを含んでいるとき、記録レーザパワーの大きさが上記標準記録レーザパワーよりも大きい場合に、該記録レーザパワーに応じて、記録パルス幅および／又は消去パルス幅を狭めるか、あるいはバイアスパルス幅を広くした記録パルス条件を用いて試し書きの記録条件を設定することを特徴としている。
【００１９】
上記記録条件設定手段は、記録レーザパワーの大きさが上記標準記録レーザパワーよりも小さい場合に、該記録レーザパワーに応じて変化させない記録パルス条件を用いて試し書きの記録条件として設定することを特徴としている。
【００２０】
上記記録条件設定手段は、少なくとも１度行われた試し書きで得られた記録条件を標準記録条件としたときの記録レーザパワー及び消去レーザパワーを標準記録レーザパワー及び標準消去レーザパワーとしたとき、記録レーザパワーと上記標準記録レーザパワーの値、又は／及び、消去レーザパワーと上記標準消去レーザパワーの値を比較し、この比較結果に基づいて、上記記録パルス条件を設定することを特徴としている。
上記標準記録条件は、少なくとも一度行われた試し書きで得られた記録条件に基づいて設定されていることを特徴としている。
【００２１】
上記標準記録条件は、光ディスク上に予め記録されている記録条件に基づいて設定されていることを特徴としている。
【００２２】
上記記録条件設定手段は、記録パルスの終端部のパルス幅を変化させて記録パルス条件を設定することを特徴としている。
【００２３】
上記記録条件設定手段は、記録パルスの始端部及び／または中間部のパルス幅を変化させて記録パルス条件を設定することを特徴としている。
【００２４】
本発明に係る他の光変調記録条件設定装置は、上記の課題を解決するために、光変調によって情報の記録が可能な光ディスクに対して、発光波形が１つ以上のパルス列からなるレーザの照射によって試し書きされた情報を再生して得られた再生信号に応じて、該光ディスクへの情報の記録条件を設定する光変調記録条件設定装置において、上記光ディスクに対する試し書きの記録条件を設定する記録条件設定手段と、上記記録条件設定手段によって設定された試し書きの記録条件に基づいて、試し書きを行う試し書き手段と、上記試し書き手段によって試し書きされた情報を再生し、再生信号を検出する再生信号検出手段とを備え、上記記録条件設定手段は、上記再生信号検出手段によって検出された再生信号の信号品質が規定する所定条件を満たさない場合に、記録レーザパワー又は／及び消去レーザパワーの大きさに依存した記録パルス条件を用いて試し書きの記録条件を設定することを特徴としている。
【００２５】
上記記録条件設定手段は、標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、上記再生信号検出手段によって検出された再生信号の信号品質が規定する所定条件を満たさない場合に、記録レーザパワーと上記標準記録レーザパワーの値、又は／及び、消去レーザパワーと上記標準消去レーザパワーの値を比較し、この比較結果に基づいて記録パルス条件を設定することを特徴としている。
【００２６】
上記の所定条件を満たさない場合は、上記再生信号検出手段によって検出された再生信号の信号品質が所定値よりも悪い場合であることを特徴としている。
【００２７】
上記の所定条件を満たさない場合は、上記再生信号検出手段によって検出された再生信号の信号振幅に基づいた値が所定値よりも小さい場合であることを特徴としている。
【００２８】
本発明に係るさらに他の光変調記録条件設定装置は、上記の課題を解決するために、光変調によって情報の記録が可能な光ディスクに対して、発光波形が１つ以上のパルス列からなるレーザの照射によって試し書きされた情報を再生して得られた再生信号に応じて、該光ディスクへの情報の記録条件を設定する光変調記録条件設定装置において、上記光ディスクに対する試し書きの記録条件を設定する記録条件設定手段と、上記記録条件設定手段によって設定された試し書きの記録条件に基づいて、試し書きを行う試し書き手段とを備え、上記記録条件設定手段は、上記試し書き手段によって、少なくとも一度行なわれた試し書きで得られた記録条件に対して、所定演算を加え、この演算で得られた記録レーザパワー又は／及び消去レーザパワーの大きさに依存した記録パルス条件を用いて最適記録条件を設定することを特徴としている。
【００２９】
本発明に係るさらに他の光変調記録条件設定装置は、上記の課題を解決するために、光変調によって情報の記録が可能な光ディスクに対して、発光波形が１つ以上のパルス列からなるレーザの照射によって試し書きされた情報を再生して得られた再生信号に応じて、該光ディスクへの情報の記録条件を設定する光変調記録条件設定装置において、上記光ディスクに対する試し書きの記録条件を設定する記録条件設定手段と、上記記録条件設定手段によって設定された試し書きの記録条件に基づいて、試し書きを行う試し書き手段とを備え、上記記録条件設定手段は、光ディスクに予め記録された記録条件に対して、所定演算を加え、この演算で得られた記録レーザパワー又は／及び消去レーザパワーの大きさに依存した記録パルス条件を用いて最適記録条件を設定することを特徴としている。
【００３０】
上記記録条件設定手段は、標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、演算で得られた記録レーザパワーと上記標準記録レーザパワーの値、又は／及び、演算で得られた消去レーザパワーと上記標準消去レーザパワーの値を比較し、この比較結果に基づいて上記記録パルス条件を設定することを特徴としている。
【００３１】
本発明に係る光変調記録条件設定方法は、上記の課題を解決するために、光変調によって情報の記録が可能な光ディスクに対して、発光波形が１つ以上のパルス列のレーザの照射によって試し書きされた情報を再生して得られた再生信号に応じて、該光ディスクへの情報の記録条件を設定する光変調記録条件設定方法において、記録レーザパワー又は／及び消去レーザパワーの大きさに依存した記録パルス条件を用いて試し書きの記録条件を設定することを特徴としている。
【００３２】
標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、記録レーザパワーと標準記録レーザパワー、又は／及び、消去レーザパワーと標準消去レーザパワーの値を比較し、比較結果に基づいて記録パルス条件を調整し、調整後の記録パルス条件を用いて試し書きの記録条件を設定することを特徴としている。
【００３３】
記録レーザパワーの大きさが標準記録レーザパワー以上の場合に、記録パルス条件を変化させて、変化後の記録パルス条件を用いて試し書きの記録条件を設定することを特徴としている。
【００３４】
本発明に係る他の光変調記録条件設定方法は、上記の課題を解決するために、光変調によって情報の記録が可能な光ディスクに対して、発光波形が１つ以上のパルス列のレーザの照射によって試し書きされた情報を再生して得られた再生信号に応じて、該光ディスクへの情報の記録条件を設定する光変調記録条件設定方法において、任意の試し書き記録条件で試し書きを行い、試し書きされた情報を再生した再生信号が信号品質を規定する所定条件を満たさない場合に、記録レーザパワー又は／及び消去レーザパワーの大きさに依存した記録パルス条件を用いて試し書きの記録条件を設定することを特徴としている。
【００３５】
本発明に係るさらに他の光変調記録条件設定方法は、上記の課題を解決するために、光変調によって情報の記録が可能な光ディスクに対して、少なくとも一度試し書きされた情報を再生して得られた再生信号に基づいて、所定演算を行って、該光ディスクへの情報の最適記録条件を設定する光変調記録条件設定方法において、演算で得られた記録レーザパワー又は／及び消去レーザパワーの大きさに依存した記録パルス条件を用いて最適記録条件を設定することを特徴としている。
【００３６】
本発明に係るさらに他の光変調記録条件設定方法は、上記の課題を解決するために、光変調によって情報の記録が可能な光ディスクに対して、該光ディスクに予め記録されている記録条件に対して、所定演算を行って、該光ディスクへの情報の最適記録条件を設定する光変調記録条件設定方法において、演算で得られた記録レーザパワー又は／及び消去レーザパワーの大きさに依存した記録パルス条件を用いて最適記録条件を設定することを特徴としている。
【００３７】
本発明に係る光変調記録再生装置は、上記の課題を解決するために、上記の光変調記録条件設定装置を備えたことを特徴としている。
【００３８】
本発明に係る制御プログラムは、上記の課題を解決するために、光変調記録条件設定装置を動作させる制御プログラムであって、コンピュータを該光変調記録条件設定装置における各手段として機能させることを特徴としている。
【００３９】
本発明に係る記録媒体は、上記の課題を解決するために、上記制御プログラムを記録したことを特徴としている。
【発明の効果】
【００４０】
ところで、記録レーザパワーと消去レーザパワーを変化させて記録した場合、高記録レーザパワー付近で再生信号品質が悪化する。これは、記録レーザパワーと消去レーザパワーの両者が大きくなることによって、記録マークが形成されるために必要な冷却が不足するためである。再生信号品質の悪化は、良好な記録マークを形成できる記録条件に近い条件で生じることがあり、試し書きにより良好な条件として設定された記録条件で記録を行っていたとしても、装置において環境変化等や、記録パルス幅の変動が生じた場合に記録状態が悪化する可能性がある。
【００４１】
そこで、本発明に係る光変調記録条件設定装置は、以上のように、光ディスクに対する試し書きの記録条件を設定する記録条件設定手段と、上記記録条件設定手段によって設定された試し書きの記録条件に基づいて、試し書きを行う試し書き手段とを備え、上記記録条件設定手段は、記録レーザパワー又は／及び消去レーザパワーの大きさに依存した記録パルス条件を用いて試し書きの記録条件を設定することで、光ディスクに対して、良好な記録マークを形成し、再生信号品質を悪化させないようにしている。
【００４２】
それゆえ、例えば、記録パワー条件（記録レーザパワー、消去レーザパワー）が大きい場合には、記録パルス条件を変化させて設定し、試し書きを行うため、再生信号品質の悪化を低減し、良好な記録条件を得ることができる。すなわち、書き込み可能な光ディスク及び光ディスク装置の特性ばらつきの影響を低減することができるという効果を奏する。
【００４３】
上記記録条件設定手段は、標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、記録レーザパワーと上記標準記録レーザパワーの値、又は／及び、消去レーザパワーと上記標準消去レーザパワーの値を比較し、この比較結果に基づいて、上記記録パルス条件を設定するようになっているので、標準記録条件に基づいた記録パルス条件が設定される。
【００４４】
それゆえ、試し書きの記録条件を適切に設定できるという効果を奏する。
【００４５】
また、上記記録条件設定手段は、記録レーザパワーの大きさが上記標準記録レーザパワーよりも大きい場合に、該記録レーザパワーに応じて変化させた記録パルス条件を用いて試し書きの記録条件を設定するようになっているので、記録レーザパワーが大きい場合であっても適切な記録パルス条件が設定される。
【００４６】
それゆえ、試し書きの記録条件を適切に設定できるという効果を奏する。
【００４７】
通常、発光波形が１つ以上のパルス列のレーザ（マルチパルスレーザ）には、記録パルス、消去パルス、バイアスパルスの３種類のパルスが含まれている。このうち、バイアスパルスは、記録パルスおよび消去パルスに対するローレベルのパルスであり、このバイアスパルスが長いほど、記録パルスにより加熱された記録マークを冷却する期間を長くすることができる。また、バイアスパルスが短いほど、記録パルスにより加熱された記録マークを冷却する期間を短くすることができる。
【００４８】
従って、上記記録条件設定手段は、上記記録レーザのパルスとして、記録パルス、消去パルス、バイアスパルスを含んでいるとき、記録レーザパワーの大きさが上記標準記録レーザパワーよりも大きい場合に、該記録レーザパワーに応じて、記録パルス幅および／又は消去パルス幅を狭めるか、あるいはバイアスパルス幅を広くした記録パルス条件を用いて試し書きの記録条件を設定することで、記録パルスにより加熱された記録マークを冷却する期間を短くすることができる。
【００４９】
それゆえ、記録マークを適切に形成することができるので、再生信号の信号品質を向上させることができるという効果を奏する。
【００５０】
上記記録条件設定手段は、記録レーザパワーの大きさが上記標準記録レーザパワーよりも小さい場合に、該記録レーザパワーに応じて変化させない記録パルス条件を用いて試し書きの記録条件として設定することで、少なくとも、標準記録条件で試し書きを行なうことができる。
【００５１】
それゆえ、記録レーザパワーが標準記録レーザパワーよりも小さい場合に生じる再生信号の劣化を防止することができる。
【００５２】
上記記録条件設定手段は、少なくとも１度行われた試し書きで得られた記録条件を標準記録条件としたときの記録レーザパワー及び消去レーザパワーを標準記録レーザパワー及び標準消去レーザパワーとしたとき、記録レーザパワーと上記標準記録レーザパワーの値、又は／及び、消去レーザパワーと上記標準消去レーザパワーの値を比較し、この比較結果に基づいて、上記記録パルス条件を設定することで、より精度の高い試し書き記録条件を設定することができる。ここで、再生信号の品質、例えばジッタやエラーレートが所定値以下である場合を適正、そうでない所定値よりも大きいときは不適正であると判断し、この判断結果に応じて試し書き記録条件を設定するようにすれば、より精度の高い試し書き記録条件を設定することができる。
【００５３】
上記標準記録条件は、光ディスク上に予め記録されている記録条件に基づいて設定されていることで、より精度の高い試し書きの記録条件を設定することができる。つまり、記録対象となる光ディスクに予め記録された試し書き記録条件は、通常、その光ディスクにとって最適な記録条件を想定して設定されているので、より精度の高い試し書き記録条件を設定することができる。
【００５４】
上記記録条件設定手段は、記録レーザパルスの終端部のパルス幅を変化させて記録パルス条件を設定することで、適切な記録マークを形成することができる。つまり、この場合、レーザパルスの終端部は、記録パルスに対するローレベル、つまりバイアスレベルの電圧が印加されていることを示しているので、このレーザパルスの終端部のパルス幅を広くすることで、記録マークの形成に必要な冷却期間を長くすることができ、適切な記録マークを形成することができる。但し、終端部のパルス幅を長くしすぎると、逆に再生信号品質が劣化する虞があるので、基準となる再生信号品質よりも劣化しない程度のパルス幅に設定するのが望ましい。
【００５５】
上記記録条件設定手段は、記録パルスの始端部及び／または中間部のパルス幅を変化させて記録パルス条件を設定することで、適切な記録マークを形成することができる。つまり、この場合、レーザパルスの始端部及び／または中間部は、記録パルスのハイレベルの電圧が印加されていることを示しているので、このレーザパルスの始端部及び／または中間部を狭くすることは、光ディスク上の記録マーク形成時の加熱期間を短くすることを示す。この結果、記録マークに必要な冷却を十分に行えるので、適切な記録マークを形成することができる。但し、始端部及び／または中間部を狭くしすぎると、逆に適切な記録マークを形成できなくなるので、基準となる再生信号品質よりも劣化しない程度のパルス幅に設定するのが望ましい。
【００５６】
本発明に係る他の光変調記録条件設定装置は、以上のように、上記記録条件設定手段が、再生信号検出手段によって検出された再生信号の信号品質が規定する所定条件を満たさない場合に、記録レーザパワー又は／及び消去レーザパワーの大きさに依存した記録パルス条件を用いて試し書きの記録条件を設定することで、再生信号の品質の低下を抑制することができる。
【００５７】
上記記録条件設定手段は、標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、上記再生信号検出手段によって検出された再生信号の信号品質が規定する所定条件を満たさない場合に、記録レーザパワーと上記標準記録レーザパワーの値、又は／及び、消去レーザパワーと上記標準消去レーザパワーの値を比較し、この比較結果に基づいて記録パルス条件を設定することで、確実に再生信号の品質の低下を抑制することができる。
【００５８】
それゆえ、記録パワーと消去パワーを変化させて試し書きを行い、再生信号が所望の条件を満たさない場合、例えば、ジッタがある閾値より悪い場合、記録パルス条件の値を設定しなおして試し書きを行う。このとき、設定した記録レーザパワーが標準記録レーザパワーより大きい場合は、記録パルス条件のうち、終端部のパルス幅を大きくするように、又は／及び、始端部と中間部のパルス幅を小さくするように設定することによって、再生信号品質の悪化を低減することができるという効果を奏する。
【００５９】
上記の所定条件を満たさない場合は、上記再生信号検出手段によって検出された再生信号の信号品質が所定値より悪い場合が考えられる。
【００６０】
この場合、ジッタ及びエラーレート等の再生信号品質を表すものは、光ディスクのシステムマージンを規定する指標となっていることが多く、記録状態をその光ディスクのマージン規定の閾値と合致させることができるという効果を奏する。
【００６１】
また、上記の所定条件を満たさない場合は、上記再生信号検出手段によって検出された再生信号の信号振幅に基づいた値が所定値よりも小さい場合であることが考えられる。
【００６２】
この場合、再生信号の振幅を検出することで、ジッタ及びエラーレート等の再生信号品質よりも簡単な回路構成で記録状態を検出することができるという効果を奏する。
【００６３】
本発明に係るさらに他の光変調記録条件設定装置は、以上のように、記録条件設定手段が、試し書き手段によって、少なくとも一度行なわれた試し書きで得られた記録条件に対して、所定演算を加え、この演算で得られた記録レーザパワー又は／及び消去レーザパワーの大きさに依存した記録パルス条件を用いて最適記録条件を設定することで、再生信号品質の悪化を低減することができる。
【００６４】
つまり、低い記録パワー条件の範囲において、記録パワーと消去パワーを変化させて試し書きをして、検出した記録条件に対して各種マージンを考慮し、所定係数倍する等の所定演算を加えて最適記録条件を設定する場合は、高い記録レーザパワー条件において再生信号品質の悪化が生じる可能性があるという問題を有しているが、記録レーザパワーが標準記録パワーより大きい場合は、記録パルス条件を変化させて設定することにより、再生信号品質の悪化を低減することができるという効果を奏する。
【００６５】
本発明に係るさらに他の光変調記録条件設定装置は、以上のように、記録条件設定手段が、光ディスクに予め記録された記録条件に対して、所定演算を加え、この演算で得られた記録レーザパワー又は／及び消去レーザパワーの大きさに依存した記録パルス条件を用いて最適記録条件を設定することで、再生信号品質の悪化を低減することができる。
【００６６】
それゆえ、上記最適記録条件でデータ記録した場合の再生信号品質を向上させることができるという効果を奏する。
【００６７】
上記記録条件設定手段は、標準的な特性を有する基準ディスクを用い、かつ標準的な特性を有する基準装置で決定された記録条件を標準記録条件としたときの記録レーザパワー及び消去レーザパワーを標準記録レーザパワー及び標準消去レーザパワーとしたとき、演算で得られた記録レーザパワーと上記標準記録レーザパワーの値、又は／及び、演算で得られた消去レーザパワーと上記標準消去レーザパワーの値を比較し、この比較結果に基づいて上記記録パルス条件を設定することで、より精度の良い記録パワー条件の設定が可能となる。
【００６８】
それゆえ、上記最適記録条件でデータ記録した場合の再生信号品質を向上させることができるという効果を奏する。
【００６９】
本発明に係る光変調記録再生装置は、以上のように、上記の光変調記録条件設定装置を備えたことで、信号の記録が適切に行なえると共に、再生信号品質の向上を図ることができるという効果を奏する。
【００７０】
本発明に係る制御プログラムは、以上のように、上記光変調記録条件設定装置を動作させる制御プログラムであって、コンピュータを該光変調記録条件設定装置における各手段として機能させることで、汎用のコンピュータによって光変調記録条件設定を行なうことができる。
【００７１】
それゆえ、特別な設備投資を行なうことなく、光変調記録条件設定装置及びそれを備えた光変調記録再生装置を安価に製造することが可能となる。
【００７２】
本発明に係るコンピュータ読み取り可能な記録媒体は、以上のように、上記制御プログラムを記録したことで、コンピュータによって制御プログラムを読み取らせることができる。
【００７３】
それゆえ、制御プログラムを記録したコンピュータ読み取り可能な記録媒体を提供することができるので、汎用性の高いコンピュータを用いて、簡単に光変調記録条件設定装置を実現することが可能となる。これにより、さらに、安価に、光変調記録条件設定装置を実現することができる。
【発明を実施するための最良の形態】
【００７４】
〔実施形態１〕
本発明の実施の一形態について図１ないし図７に基づいて説明すれば、以下の通りである。
【００７５】
本実施の形態の光変調記録条件設定方法が適用される光変調記録条件設定装置を備えた光ディスク装置（光変調記録再生装置）１では、図２に示すように、回転する光ディスク１０の図示しないトラックへ、制御部２０がピックアップ駆動回路１３を介してピックアップ１２を移動させる。なお、光ディスク１０は、光変調記録を行うことが可能な記録媒体である。
【００７６】
上記ピックアップ１２には、光ヘッド１１が設けられている。そして、制御部２０がレーザ駆動回路１４を介して記録条件を設定し、光ヘッド１１から記録用のレーザビームを光ディスク１０の記録部位に照射することによって、光ディスク１０のトラックに情報が記録される。
【００７７】
また、上記光ディスク装置１は、制御部２０がピックアップ駆動回路１３を介してピックアップ１２を光ディスク１０の記録部位へ移動させる。そして、制御部２０がレーザ駆動回路１４を介して光ヘッド１１から再生用のレーザビームを光ディスク１０に照射する。
【００７８】
光ヘッド１１が検出した反射光は、再生回路１５にて再生信号に変換され、制御部２０に入力される。これにより、上記光ディスク装置１は、光ディスク１０のトラックに記録された情報を再生する。
【００７９】
ここで、上記光ディスク装置１には、特に、センサ３０が設けられている。上記センサ３０は、光ディスク１０の装填を検出するため、及び／又は光ディスク１０への記録環境の変化を検出するためのものであり、例えば、光ディスク１０の記録部位の温度を検出するための温度センサからなる。そして、センサ３０は、検出した結果を検出信号として制御部２０へ出力する。
【００８０】
上記制御部２０は、光ディスク１０が光ディスク装置１に装填されたときに加えて、情報の記録動作中にもセンサ３０の検出信号から記録環境に所定の変化が検出されたときや、前回の試し書きから所定時間が経過したとき等に、記録条件設定の動作を適宜起動する。
【００８１】
光ディスク装置１は、図３に示すように、光ディスク１０の設定用領域４１への試し書きに基づいて記録条件を設定する。そして、その記録条件によって、各トラックに情報を記録する。なお、光ディスク装置１の記録条件設定後のユーザ領域４２への記録動作は、一般に知られた動作と同様である。また、設定用領域４１内には、標準記録条件が予め記録されているものとする。
【００８２】
上記光ディスク装置１は、設定用領域４１内の標準記録条件を読み出し、この標準記録条件を記録条件設定のために使用する。また、読み出した標準記録条件を上記制御部２０内に設けられた記憶手段であるメモリに保存し、それを読み出して使用してもよい。なお、設定用領域４１の位置は、図３に示した位置に限らず、光ディスク１０の任意の半径位置に存在していても構わないし、設定用領域４１は複数存在していても構わない。
【００８３】
次に、本実施の形態における具体的な光変調記録条件設定方法を、図１、図４ないし図７に基づいて説明する。なお、以下においては、変調方式として（１，７）ＲＬＬ(Run Length Limited code)を例に挙げて説明する。ただし、本発明においては、（１，７）ＲＬＬの変調方式に限るものではない。
【００８４】
なお、（１，７）ＲＬＬコードとは、磁気的、光学的ディジタル記録において、反転間隔の最小値と最大値とを制限したコードである。また、この（１，７）ＲＬＬの変調方式では、後で詳述するが、記録パルスのパルス列は、最短の記録マークが始端部と終端部とから構成される一方、最短の記録マークよりも長い記録マークではこの始端部と終端部との間に該マーク長に応じた中間部を加えて構成される。なお、他の変調方式においては、例えば、最短の記録マーク長が３Ｔから始まるものもあり、このときは最短の記録マーク長が始端部、中間部、終端部にて構成されている（例えば、ＤＶＤ−ＲＷ等）。また、最短マーク長が２Ｔであったとしても、始端部のみで構成されているものもある（例えば、ＤＶＤ−Ｒ等）。
【００８５】
記録情報に対応するパルス列は、図４に示すように、上記光ディスク１０に記録を行うための媒体温度分布を考慮して設定されている。なお、図４は４Ｔマークに対応するためのパルス列を示す。
【００８６】
上記パルス列は、上述したように、始端部と終端部、及び３Ｔマーク以上では中間部とを合わせて構成されている。ここで、Ｔは、クロック１周期分の時間を表す。したがって、例えば４Ｔマークとは、クロック４周期分の時間に「１」が記録されるマーク、つまり記録領域をいう。
【００８７】
また、パルス列は、同図に示すように、記録パワー、消去パワー及びバイアスパワーにて構成され、これらを記録パワー条件と呼ぶことにする。なお、同図では、始端部、中間部のパルスの記録パワーは同一であるが、必ずしもこれに限らず、パルス毎で別個の記録パワーであってもよい。
【００８８】
次に、図５に、２Ｔマークから８Ｔマークまでのそれぞれを形成するためのパルス列、及び記録パルス条件を構成するパラメータを示す。同図において、ｄＴｔｏｐは始端部のパルス開始位置、Ｔｔｏｐは始端部のパルス幅、Ｔｅｎｄは終端部のパルス終了位置、及びＴｍｐは中間部のパルス幅を示しており、これらの値の変化により、形成される記録マークの形状が変化する。これらのパラメータ（記録パルス条件と呼ぶ）の標準値は、光ディスク１０の設定用領域４１に記録パルス標準条件として予め記録されている。
【００８９】
次に、２Ｔマークから８Ｔマークまでが含まれたテストパターンを用いて、記録条件を変化させて、試し書きを行ったときの再生信号品質を測定した。この測定結果を図６に示す。
【００９０】
図６のグラフは、標準記録条件として、記録パワー５．１ｍＷ、消去パワー２．８ｍＷを用い、一定比（消去パワー／記録パワー＝２．８／５．１）を保ちながら記録パワーと消去パワーを変化させて記録し、再生信号品質の検出量として、ジッタを測定した結果を示している。ここで、記録パルス条件を標準に設定して記録を行った場合を実線で、標準よりも始端部及び中間部のパルス幅を１ｎｓ増加させて設定して記録を行った場合を点線で示している。いずれの場合も高記録パワー付近で、ジッタが悪化している。これは、記録パワーと消去パワーの両者が大きくなることによって、記録マークが形成されるために必要な冷却が不足するためである。
【００９１】
ここで、標準のパルス幅の場合と、１ｎｓ増加させた場合とでジッタの悪化が生じている記録パワーに差がある。例えば、標準のパルス幅においてジッタが良好となる記録条件である記録パワー５．３ｍＷであったとしても、パルス幅が１ｎｓ増加した場合にはジッタは悪化する。つまり、再生信号の悪化は、良好な記録マークを形成できる記録条件に近い条件で生じることがあり、試し書きにより良好な条件として設定された記録条件で記録を行っていたとしても、装置において環境変化等や、記録パルス幅の変動が生じた場合に記録状態が悪化する可能性がある。
【００９２】
図７のグラフは、記録パルス条件のうち、終端部の長さを２ｎｓ毎に変えて、記録パワー、消去パワーが一定比を保つように変化させて記録した場合のジッタ測定の結果を示している。ここで、終端部以外の記録パルスの幅は標準に設定している。
【００９３】
高パワー側の悪化条件に注目する。標準条件よりも終端部の長さ（図４でバイアスパワーが照射される期間）が２ｎｓ短い場合（以下、終端部−２ｎｓ）では、記録パワー５．４ｍＷで大幅なジッタの悪化が見られる。次に、標準条件では、記録パワー５．４ｍＷからジッタの悪化は見られるものの、終端部−２ｎｓよりも悪化量は小さい。また、標準条件よりも終端部の長さが２ｎｓ長い場合（以下、終端部＋２ｎｓ）では、記録パワー５．４ｍＷでのジッタ悪化はほとんどなく、５．５ｍＷにおいて大幅に悪化する。最後に、標準条件よりも終端部の長さが４ｎｓ長い場合（以下、終端部＋４ｎｓ）では、記録パワー５．５ｍＷでのジッタ悪化は小さく、５．７ｍＷにおいて大幅に悪化する。つまり、終端部の長さを長くするにしたがい、ジッタの悪化する記録パワーの大きさが大きくなっていることがわかる。
【００９４】
よって、記録パワー条件の記録パワー、消去パワーが大きい場合には、記録パルス条件のうち、終端部のパルス幅を大きくするように設定すれば、再生信号品質の悪化を低減し、良好な記録条件を得ることができる。ここでは、説明を簡単にするため、記録パワー条件が大きい場合とは、標準記録条件である記録パワー（以降、標準記録パワーと呼ぶ）や消去パワー（標準消去パワー）よりも大きい記録パワー、消去パワーであるとするが、これに限らず、標準記録パワー付近のパワーに対して大きい記録パワーであれば、同様の効果が得られる。
【００９５】
ここで、記録条件設定の具体的な動作の流れについて、図１に示すフローチャートおよび図２に示すブロック図を参照しながら以下に説明する。
【００９６】
まず、光ディスク装置１は、制御部２０の制御により、標準記録条件を光ディスク１０から読み出し、該標準記録条件に基づいて標準の記録パルス条件を設定する（Ｓ１）。
【００９７】
続いて、記録パワーＰｗと消去パワーＰｅを変化させて設定する（Ｓ２）。
【００９８】
次いで、設定した記録パワーＰｗと標準記録パワーであるＰｗ０との大小比較を行う（Ｓ３）。
【００９９】
ここで、ＰｗがＰｗ０以上であれば、記録パルス条件の終端部を長くなるように変化させて設定し（Ｓ４）、それ以外は、標準の記録パルス条件を設定する。
【０１００】
次いで、設定された記録条件で試し書きを行い、再生信号を検出する（Ｓ５）。
【０１０１】
その後、試し書きの終了の判定を行い（Ｓ６）、試し書きを続ける場合は、Ｓ２に戻り、記録パワーを変化させて設定する。試し書きを終了する場合は、得られた再生信号に基づいて、最適な記録条件を設定する（Ｓ７）。
【０１０２】
なお、ここでは、設定した記録パワーＰｗが標準記録パワーであるＰｗ０との比較を行っているが、これに限らず、消去パワーＰｅが標準消去パワーであるＰｅ０との比較を行ってもよい。
【０１０３】
このように、本実施の形態の光変調記録条件設定方法及び光ディスク装置１では、記録条件試し書き手段が、記録条件を変化させて、光ディスク１０上に試し書きを行う。また、再生信号検出手段は、記録条件試し書き手段により試し書きされた情報を再生し、再生信号を検出する。さらに、選択手段が、再生信号品質の良くなる記録条件を選択する。つまり、選択手段は、記録条件を設定する記録条件設定手段でもある。なお、これら記録条件試し書き手段、再生信号検出手段及び選択手段（記録条件設定手段）は、ＣＰＵからなる制御部２０がこれらの機能を果たしている。
【０１０４】
すなわち、従来では、大きい記録条件において再生信号品質の悪化が生じる可能性があるという問題点を有していた。
【０１０５】
しかし、本実施の形態では、記録条件を変化させて、光ディスク上に試し書きを行い、試し書きされた情報を再生し、再生信号品質が良好となる記録条件を選択する光変調記録再生装置および光変調記録条件設定方法において、記録パワーが標準記録パワー以上の場合は記録パルス条件を変化させて試し書きに使用する記録条件を設定する構成である。
【０１０６】
すなわち、書き込み可能な光ディスク１０及び光ディスク装置１の特性ばらつきの影響を低減することができる。
【０１０７】
〔実施の形態２〕
本発明の他の実施の形態について図８ないし図１０に基づいて説明すれば、以下の通りである。なお、説明の便宜上、前記の実施の形態１の図面に示した部材と同一の機能を有する部材については、同一の符号を付し、その説明を省略する。
本実施の形態の光変調記録条件設定方法では、試し書きを行い、試し書きされた情報を再生し、再生信号が所望の条件を満たさない場合は、記録パルス条件を変化させて試し書きに使用する記録条件を設定する。
【０１０８】
図８に、一定比を保ちながら記録パワーと消去パワーを変化させて記録し、再生信号品質の検出量として、ジッタを測定した結果を示している。ここで、ジッタの閾値Ａ０を使用する。すなわち、試し書きを行い、閾値Ａ０より悪いジッタが得られた場合、記録パルス条件を設定しなおして試し書きを行う。このとき、設定した記録パワーＰｗが標準記録パワーであるＰｗ０より大きい場合は、記録パルス条件のうち、終端部のパルス幅を大きくするように設定することによって、再生信号品質の悪化を低減することができる。
【０１０９】
図９に記録条件設定の具体的動作を示すフローチャートについて説明する。
【０１１０】
まず、光ディスク装置１は、制御部２０の制御により、標準記録条件を光ディスク１０から読み出し、標準の記録パルス条件を設定する（Ｓ１１）。続いて、記録パワーＰｗと消去パワーＰｅを変化させて設定する（Ｓ１２）。次いで、設定された記録条件で試し書きを行い、再生信号を検出する（Ｓ１３）。再生信号が所望の条件を満たすかどうか、ここでは、ジッタが閾値Ａ０以下であるかどうかの判定を行い（Ｓ１４）、試し書きの終了の判定を行って（Ｓ１５）、試し書きを続ける場合は、Ｓ１２に戻り、記録条件を変化させて設定する。ジッタが閾値Ａ０より大きい場合、試し書きの終了の判定を行って（Ｓ１６）、記録パルス条件の終端部を長くなるように変化させて設定し（Ｓ１７）、Ｓ１３に戻り、設定された記録条件で試し書きを行う。試し書きを終了する場合は、得られた再生信号に基づいて、最適な記録条件を設定する（Ｓ１８）。
【０１１１】
なお、図９のＳ１４以降の処理すなわち、設定された記録条件による試し書きの再生信号が所望の条件を満たすかどうかを判定し、その判定に基づいて、記録パルス条件を変化させる処理は、実施の形態１における図６のＳ６のあとに利用することもできる。
【０１１２】
また、本実施の形態では、再生信号の条件として、ジッタを使用したがこれに限るものではなく、エラーレート等、再生信号品質を表すものを使用することができる。
【０１１３】
また、図１０に、一定比を保ちながら記録パワーと消去パワーを変化させて記録し、再生信号の検出量として、変調度を測定した結果を示している。ジッタの悪化に対応するように、高い記録条件において変調度が低下していることが分かる。よって、再生信号の条件として、変調度を使用することもできる。なお、変調度の低下は信号振幅の低下に起因しているため、信号振幅も再生信号の条件として使用することもできる。
【０１１４】
すなわち、従来では、大きい記録条件において再生信号品質の悪化が生じる可能性があるという問題点を有していた。
【０１１５】
しかし、本実施の形態では、記録条件を変化させて、光ディスク上に試し書きを行い、試し書きされた情報を再生し、再生信号品質が良好となる記録条件を選択する光変調記録再生装置の光変調記録条件設定方法において、試し書きに使用する記録パワー及び消去パワーを設定し、試し書きを行い、試し書きされた情報を再生し、再生信号が所望の条件を満たさない場合は、記録パルス条件を変化させて試し書きに使用する記録条件を設定する構成である。
【０１１６】
すなわち、書き込み可能な光ディスク１０及び光ディスク装置１の特性ばらつきの影響を低減することができる。
【０１１７】
〔実施の形態３〕
本発明のさらに他の実施の形態について図１１に基づいて説明すれば、以下の通りである。なお、説明の便宜上、前記の実施の形態１ないし実施の形態２の図面に示した部材と同一の機能を有する部材については、同一の符号を付し、その説明を省略する。
【０１１８】
本実施の形態の光変調記録パルス条件設定方法では、少なくとも一度行われた試し書きによって得られた記録パルス条件を用いて、前記実施の形態１ないし実施の形態２において行った記録条件の設定を行う構成である。
【０１１９】
すなわち、少なくとも一度行われた試し書きによって得られた記録パルス条件を標準記録パルス条件として設定しなおして、記録条件を変化させて試し書きを行えるため、より良好な記録条件の設定が可能となる。
【０１２０】
図１１に記録条件設定の具体的動作を示すフローチャートについて説明する。
【０１２１】
まず、光ディスク装置１は、少なくとも一度試し書き動作を行い、試し書きで得られた記録パルス条件を標準記録パルス条件として設定する（Ｓ２１）。そして、実施の形態１におけるＳ２、実施の形態２におけるＳ１２のいずれかに進むことで試し書きを行い、最適な記録条件を設定する。
【０１２２】
すなわち、少なくとも一度行われた試し書きによって得られた記録条件に基づき、記録条件を変化させて試し書きを行えるため、より精度の良好な記録パワー条件の設定を行うことができる。
【０１２３】
〔実施の形態４〕
本発明のさらに他の実施の形態について図１２および１３に基づいて説明すれば、以下の通りである。なお、説明の便宜上、前記の実施の形態１ないし実施の形態３の図面に示した部材と同一の機能を有する部材については、同一の符号を付し、その説明を省略する。
【０１２４】
本実施の形態の光変調記録パルス条件設定方法では、少なくとも一度行われた試し書きで得られた記録条件に対して、所定演算を加えて、最適記録条件を設定する方法において、記録パワーが標準記録パワーより大きい場合は、記録パルス条件を変化させて記録条件を設定する構成である。
【０１２５】
すなわち、低い記録パワー条件の範囲において、記録パワーと消去パワーを変化させて試し書きをして、検出した記録条件に対して各種マージンを考慮し、所定係数倍する等の所定演算を加えて最適記録条件を設定する場合（図１２）は、高い記録条件において再生信号品質の悪化が生じる可能性があるという問題を有しているが、記録パワーが標準記録パワーより大きい場合は、記録パルス条件のうち、終端部のパルス幅を大きくするように設定することにより、再生信号品質の悪化を低減することができる。
【０１２６】
図１３に記録条件設定の具体的動作を示すフローチャートについて説明する。
【０１２７】
まず、光ディスク装置１は、少なくとも一度試し書き動作を行い、試し書きで得られた記録条件である記録パワーと消去パワーのそれぞれに対して所定係数倍し、記録条件として設定する（Ｓ３１）。次いで、設定した記録パワーＰｗと標準記録パワーであるＰｗ０の大小比較を行う（Ｓ３２）。ここで、ＰｗがＰｗ０以上であれば、記録パルス条件の終端部を長くなるように変化させて設定する（Ｓ３３）。一方、設定した記録パワーＰｗが標準記録パワーであるＰｗ０より小さい場合は、Ｓ３１にて設定した記録条件のままにする。
【０１２８】
すなわち、書き込み可能な光ディスク１０及び光ディスク装置１の特性ばらつきの影響を低減することができる。
【０１２９】
なお、図１３のＳ３１において、試し書きで得られた記録条件である記録パワーと消去パワーのそれぞれに対して所定係数倍し、記録条件として設定しているが、光ディスクに記録されている記録条件を読み出し、それに対して所定係数倍し、記録条件として設定しても同様の効果を得ることができる。
【０１３０】
上記実施例は、記録パワー又は／及び消去パワーの大きさに依存した記録パルス条件を用いて試し書きの記録条件の設定方法として、プログラムにより、予め設定された記録パワー又は／及び消去パワーの大きさと記録パルス条件の値を用いて試し書きの記録条件を制御する方法について述べているが、記録パワー又は／及び消去パワーの大きさと、記録パルス条件との依存関係は上記実施例に限定されるものではなく、たとえば、記録パワー又は／及び消去パワーの大きさと、記録パルス条件の依存関係を表形式で蓄積し、表中の記録パワー又は／及び消去パワーの大きさから記録パルス条件を求める方法や、記録パワー又は／及び消去パワーの大きさと、記録パルス条件との依存関係を関数表現で表して記録パワー又は／及び消去パワーの大きさから記録パルス条件から求める方法などがある。
【０１３１】
また、図１４に、標準条件と、記録パルス条件のうち始端部と中間部のパルス幅を１ｎｓ減少させた場合（以下、パルス幅−１ｎｓ）と、始端部と中間部のパルス幅を１ｎｓ減少させて、さらに終端部の長さを２ｎｓ長くした場合（以下、パルス幅−１ｎｓ終端部＋２ｎｓ）について、記録パワー、消去パワーが一定比を保つように変化させて記録した場合のジッタ測定の結果を示している。
【０１３２】
ここで、標準条件において、記録パワー５．５ｍＷでジッタの大幅な悪化が見られるが、パルス幅−１ｎｓの場合、記録パワー５．５ｍＷでのジッタの大幅な悪化は見られず、記録パワー５．７ｍＷで悪化している。したがって、記録パルス条件のうち、始端部と中間部のパルス幅を小さくした場合も、終端部のパルス幅を大きくするように設定する場合と同様に、記録パワー条件の記録パワー、消去パワーが大きい場合に、再生信号品質の悪化を低減し、良好な記録条件を得ることができることがわかる。
【０１３３】
また、始端部と中間部のパルス幅を小さくし、更に終端部のパルス幅を大きくするように設定した場合、ジッタが大幅に悪化する記録パワーは５．９ｍＷとなり、記録パルス条件のうち、始端部、中間部のパルス幅を小さくし、かつ、終端部の長さを大きくすることでも同様の効果を得ることができる。
【０１３４】
また、本実施の形態は本発明の範囲を限定するものではなく、本発明の範囲内で種々の変更が可能である。
【０１３５】
例えば、記録条件の設定は、各トラックにおいて少なくとも１回行うことが望ましいが、必ずしも全てのトラックで行う必要はなく、複数トラックごとであってもよい。
【０１３６】
また、上記光ディスク装置１は、制御部２０の各機能を実現するプログラム（制御プログラム、記録条件設定プログラム）の命令を実行する演算手段であるＣＰＵ（Central Processing Unit）、上記プログラムを格納した記憶手段であるＲＯＭ（Lead Only Memory）、上記プログラムを展開する記憶手段であるＲＡＭ（Random Access Memory）、上記プログラム及び各種データを格納する記憶手段であるメモリ等の図示しない記憶装置（記憶媒体）等を備えている。
【０１３７】
そして、本発明の目的は、上述した機能を実現するソフトウエアである制御プログラムのプログラムコード（実行形式プログラム、中間コードプログラム、ソースプログラム）をコンピュータで読み取り可能にした記録媒体を、上記光ディスク装置１に供給し、そのコンピュータ（又はＣＰＵやＭＰＵ）が記録媒体に記録されているプログラムコードを読み出し実行することによっても、達成可能である。この場合、記録媒体から読み出されたプログラムコード自体が上述した機能を実現することにより、そのプログラムコードを記録した記録媒体は本発明を構成することになる。
【０１３８】
本実施の形態では、変調方式として、（１，７）ＲＬＬを例に説明したが、本願発明はこれに限定されるものではなく、例えば、ＣＤはＥＦＭ変調、ＤＶＤは８−１６変調という方式であっても適用可能である。
【０１３９】
上記（１，７）ＲＬＬのマーク長は２Ｔから８Ｔまでであるが、上記の２つの変調方式は３Ｔから１１Ｔまでである。この場合には、図５に示すマーク長は２Ｔから８Ｔを、３Ｔから１１Ｔに変更すればよい。
【０１４０】
このように、使用するマーク長が異なっていたとしても、本願発明は適用可能である。また、上記で挙げた２つの変調方式に限らず、他の変調方式であったとしても同様の違いとなるだけであり、本願発明を適用可能である。
【０１４１】
また、本実施の形態では、光ディスクとして、ＤＶＤ−ＲＷ，ＤＶＤ−Ｒを例に説明したが、これに限定されるものではなく、例えばＣＤ−Ｒ、ＣＤ−ＲＷ、ＤＶＤ−ＲＡＭ、ＭＯ等も適用可能であり、さらに、今後の次世代光ディスクにも適用可能である。ただし、ＭＯについては磁界変調記録方式ではなく、光変調記録方式を行うものに限る。
【０１４２】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的手段に含まれる。
【０１４３】
また、本発明の光変調記録条件設定方法は、以下のような構成であってもよい。
【０１４４】
すなわち、本発明の光変調記録条件設定方法は、記録条件を変化させて、光ディスク上に試し書きを行い、試し書きされた情報を再生し、再生信号品質が良好となる記録条件を選択する光変調記録再生装置の光変調記録条件設定方法において、記録パワー又は／及び消去パワーの大きさに依存した記録パルスを用いて試し書きの記録条件を設定することを特徴としている。
【０１４５】
上記光変調記録条件設定方法において、記録パワーと標準記録パワー、又は／及び、消去パワーと標準消去パワーの値を比較するステップを有し、比較結果に基づいて記録パルス条件を調整して試し書きの記録条件を設定するようにしてもよい。
【０１４６】
また、上記の光変調記録条件設定方法において、記録パワーの大きさが標準記録パワー以上の場合、記録パルス条件を変化させて試し書きに使用する記録条件を設定するようにしてもよい。
【０１４７】
また、本発明の光変調記録条件設定方法は、記録条件を変化させて、光ディスク上に試し書きを行い、試し書きされた情報を再生し、再生信号品質が良好となる記録条件を選択する光変調記録再生装置に適用され、試し書きに使用する記録パワー及び消去パワーを設定し、試し書きを行い、試し書きされた情報を再生し、再生信号が所望の条件を満たさない場合は、記録パワー又は／及び消去パワーの大きさに依存した記録パルス条件を用いて試し書きの記録条件を設定することを特徴としている。
【０１４８】
上記光変調記録条件設定方法において、試し書きに使用する記録パワー及び消去パワーを設定し、試し書きを行い、試し書きされた情報を再生し、再生信号が所望の条件を満たさない場合は、記録パワーと標準記録パワー、又は／及び、消去パワーと標準消去パワーの値を比較するステップを有し、比較結果に基づいて記録パルス条件を調整して、試し書きの記録条件を設定するようにしてもよい。
【０１４９】
また、前記所望の条件を満たさないとは、再生信号品質が所望値よりも悪いことを示す。
【０１５０】
さらに、前記所望の条件を満たさないとは、再生信号振幅に基づいた値が所望値よりも小さいことを示す。
【０１５１】
また、本発明の光変調記録条件設定方法は、少なくとも一度行われた試し書きで得られた記録条件に対して、所定演算を加えて、最適記録条件を設定する方法であって、演算で得られた記録パワー又は／及び消去パワーの大きさに依存した記録パルス条件を用いて記録条件を設定することを特徴としている。
【０１５２】
さらに、本発明の光変調記録条件設定方法は、光ディスク上に予め記録されている記録条件に対して、所定演算を加えて、最適記録条件を設定する方法であって、演算で得られた記録パワー又は／及び消去パワーの大きさに依存した記録パルス条件を用いて記録条件を設定することを特徴としている。
【０１５３】
前記光変調記録条件設定方法において、演算で得られた記録パワーと標準記録パワー、又は／及び、演算で得られた消去パワーと標準消去パワーの値を比較するステップを有し、比較結果に基づいて記録パルス条件の値を調整して記録条件を設定するようにしてもよい。
【０１５４】
また、前記光変調記録条件設定方法において、少なくとも一度行われた試し書きで得られた記録条件に基づいて、標準記録パルス条件の値を設定するようにしてもよい。
【０１５５】
以上の光変調記録条件設定方法において、光ディスク上に予め記録されている情報に基づいて、標準記録パルス条件の値を設定するようにしてもよい。
【０１５６】
また、上記光変調記録条件設定方法において、記録パルス条件として、終端部のパルス幅を変化させて設定するようにしてもよい。
【０１５７】
さらに、上記光変調記録条件設定方法において、記録パルス条件として、始端部及び／または中間部のパルス幅を変化させて設定するようにしてもよい。
【０１５８】
また、本発明の光変調記録条件設定方法を実現する光変調記録再生装置は、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備えている光変調記録再生装置において、上記記録条件試し書き手段は、記録パワー又は／及び消去パワーの大きさに依存した記録パルス条件を用いて試し書きの記録又は／及び消去条件を設定することを特徴としている。
【０１５９】
上記光変調記録再生装置において、上記記録条件試し書き手段は、記録パワーと標準記録パワー、又は／及び、消去パワーと標準消去パワーの値を比較する比較手段を有し、比較結果に基づいて記録パルス条件を調整して試し書きの記録条件を設定するようにしてもうよい。
【０１６０】
また、上記光変調記録再生装置において、記録パワーの大きさが標準記録パワー以上の場合、記録パルス条件を変化させて試し書きに使用する記録条件を設定するようにしてもよい。
【０１６１】
また、本発明の光変調記録再生装置は、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備えている光変調記録再生装置において、上記記録条件試し書き手段は、試し書きに使用する記録パワー及び消去パワーを設定し、試し書きを行い、試し書きされた情報を再生し、再生信号が所望の条件を満たさない場合は、記録パワー又は／及び消去パワーの大きさに依存した記録パルス条件を用いて試し書きの記録条件を設定することを特徴としている。
【０１６２】
上記光変調記録再生装置において、上記記録条件試し書き手段は、試し書きに使用する記録パワー及び消去パワーを設定し、試し書きを行い、試し書きされた情報を再生し、再生信号が所望の条件を満たさない場合は、記録パワーと標準記録パワー、又は／及び、消去パワーと標準消去パワーの値を比較する比較手段を有し、比較結果に基づいて記録パルス条件を調整して、試し書きの記録又は／及び消去条件を設定するようにしてもよい。
【０１６３】
また、前記所望の条件を満たさないとは、再生信号品質が所望値よりも悪いことを示す。
【０１６４】
さらに、前記所望の条件を満たさないとは、再生信号振幅に基づいた値が所望値よりも小さいことを示す。
【０１６５】
また、本発明の光変調記録再生装置は、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備えている光変調記録再生装置において、上記選択手段は、少なくとも一度行われた試し書きで得られた記録条件に対して、所定演算を加えて、最適記録条件を設定するときに、演算で得られた記録パワー又は／及び消去パワーの大きさに依存した記録パルス条件を用いて記録又は／及び消去条件を設定することを特徴としている。
【０１６６】
さらに、本発明の光変調記録再生装置は、記録条件を変化させて、光ディスク上に試し書きを行う記録条件試し書き手段と、記録条件試し書き手段により試し書きされた情報を再生し、再生信号を検出する再生信号検出手段と、再生信号品質が良好となる記録条件を選択する選択手段とを備えている光変調記録再生装置において、上記選択手段は、光ディスク上に予め記録されている記録条件に対して、所定演算を加えて、最適記録条件を設定するとき、演算で得られた記録パワー又は／及び消去パワーの大きさに依存した記録パルス条件を設定することを特徴としている。
【０１６７】
上記光変調記録再生装置において、演算で得られた記録パワーと標準記録パワー、又は／及び、演算で得られた消去パワーと標準消去パワーの値を比較する比較手段を有し、比較結果に基づいて記録パルス条件の値を調整して記録条件を設定するようにしてもよい。
【０１６８】
上記光変調記録再生装置において、少なくとも一度行われた試し書きで得られた記録条件に基づいて、標準記録パルス条件の値を設定するようにしてもよい。
【０１６９】
上記光変調記録再生装置において、光ディスク上に予め記録されている情報に基づいて、標準記録パルス条件の値を設定するようにしてもよい。
【０１７０】
上記光変調記録再生装置において、記録パルス条件として、終端部のパルス幅を変化させて設定するようにしてもよい。
【０１７１】
上記光変調記録再生装置において、記録パルス条件として、始端部及び／または中間部のパルス幅を変化させて設定するようにしてもよい。
【０１７２】
さらに、本発明の制御プログラムは、以上の光変調記録再生装置を動作させる制御プログラムであって、コンピュータを前記の各手段として機能させることを特徴としている。
【０１７３】
また、上記制御プログラムをコンピュータ読み取り可能な記録媒体に記録してもよい。
【産業上の利用可能性】
【０１７４】
本発明は、光ディスクとして、光変調方式で情報の記録再生を行なう光記録媒体としての、ＤＶＤ−ＲＷ，ＤＶＤ−Ｒ、ＣＤ−Ｒ、ＣＤ−ＲＷ、ＤＶＤ−ＲＡＭ、ＭＯ等も適用可能であり、さらに、今後の次世代光ディスクにも適用可能である。ただし、ＭＯについては磁界変調記録方式ではなく、光変調記録方式を行うものに限る。
【図面の簡単な説明】
【０１７５】
【図１】本発明の一実施の形態にかかる光変調記録再生装置における光変調記録条件設定方法の処理の流れを示すフローチャートである。
【図２】本発明の一実施の形態にかかる光変調記録再生装置の概略構成ブロック図である。
【図３】上記光ディスク装置により情報が記録される光ディスクを示す斜視図である。
【図４】記録情報に対応するパルス列の設定を説明する図である。
【図５】各マーク長に対応するパルス列の設定を説明する図である。
【図６】上記光変調記録条件設定方法におけるジッタ測定結果を示すグラフである。
【図７】上記光変調記録条件設定方法におけるジッタ測定結果を示すグラフである。
【図８】上記光変調記録条件設定方法におけるジッタ測定結果を示すグラフである。
【図９】本発明における光変調記録条件設定方法の他の実施の形態を示すフローチャートである。
【図１０】上記光変調記録条件設定方法における変調度の測定結果を示すグラフである。
【図１１】本発明における光変調記録条件設定方法のさらに他の実施の形態を示すフローチャートである。
【図１２】上記光変調記録条件設定方法におけるジッタ測定結果を示すグラフである。
【図１３】本発明における光変調記録条件設定方法のさらに他の実施の形態を示すフローチャートである。
【図１４】上記光変調記録条件設定方法におけるジッタ測定結果を示すグラフである。
【符号の説明】
【０１７６】
１  光ディスク装置（光変調記録再生装置）
１０  光ディスク
１１  光ヘッド
１２  ピックアップ
１３  ピックアップ駆動回路
１４  レーザ駆動回路
１５  再生回路
２０  制御部（記録条件設定手段、試し書き手段、再生信号検出手段）
３０  センサ
４１  設定用領域
４２  ユーザ領域
Ａ０  閾値
Ｐｅ  消去パワー
Ｐｗ  記録パワー
【図１】
2005108374.tif 000003
【図２】
2005108374.tif 000004
【図３】
2005108374.tif 000005
【図４】
2005108374.tif 000006
【図５】
2005108374.tif 000007
【図６】
2005108374.tif 000008
【図７】
2005108374.tif 000009
【図８】
2005108374.tif 000010
【図９】
2005108374.tif 000011
【図１０】
2005108374.tif 000012
【図１１】
2005108374.tif 000013
【図１２】
2005108374.tif 000014
【図１３】
2005108374.tif 000015
【図１４】
2005108374.tif 000016